(57)【特許請求の範囲】
【請求項１】
多心の光ケーブル（２２）端末が引き込まれるケーブル収納部（２５）と、内部に光スプリッタ（２９、２９ａ）および光カプラ（３１）を収納してなる光部品収納ケース（２１）が複数収納されるケース収納部（２６）とを備え、
前記光部品収納ケースは、光信号を送受信する伝送装置（２３）側の光ファイバ（２４、２４ａ）を、前記光スプリッタを介して、前記光ケーブル側の多心の光ファイバ（２２ａ）に対して分岐接続するように構成され、前記光ケーブル側の光ファイバが切替可能に接続される多心の光コネクタ（２１ａ）を備え、この光コネクタと前記光スプリッタとの間を接続する複数の光伝送路（３０）のそれぞれから前記光カプラを介して分岐された監視用光伝送路（３１ａ、３１ｂ、２１ｅ、２１ｆ）に、光パルスを利用して光線路を監視する光線路監視装置の心線選択装置（２８）が接続可能になっており、
前記監視用光伝送路のうち、前記伝送装置方向への光伝送に対応する監視用光伝送路は、光スプリッタの一つの素子に接続された前記光伝送路のうち１本の光伝送路から分岐されていることを特徴とする光配線盤（２０）。
【請求項２】
前記光ケーブル側の多心の光ファイバに切替可能にコネクタ接続される多心接続部（２７ａ）と、前記光部品収納ケースの光コネクタに対して切替可能にコネクタ接続される複数本の単心光ファイバ部（２７ｄ）と、前記多心接続部を前記単心光ファイバ部へ分岐する分岐部（２７ｃ）とを備えてなる接続用コード部品（２７）によって、前記光ケーブル側の多心の光ファイバと前記光部品収納ケースの光コネクタとの間が接続され、多心が一括して切替接続可能になっていることを特徴とする請求項１記載の光配線盤。
【請求項３】
前記光コネクタと前記光スプリッタとの間を接続する複数の光伝送路が、多心の光ファイバから構成されていることを特徴とする請求項１または２に記載の光配線盤。
【請求項４】
前記監視用光伝送路の前記光カプラを介して分岐された光ファイバ先端が光コネクタ（２１ｃ、２１ｄ）によってコネクタ接続可能に成端されており、かつ光部品収納ケースの側部から外側へ引き出されていることを特徴とする請求項１ないし３のいずれかに記載の光配線盤。
【請求項５】
前記監視用光伝送路のうち、前記伝送装置方向への光伝送に対応する監視用光伝送路は、前記光ケーブル方向への光伝送に対応する監視用光伝送路とともに、１本の光ファイバテープ心線として引き出されていることを特徴とする請求項４に記載の光配線盤。
【請求項６】
内部に収納した光スプリッタ（２９、２９ａ）を介して、基幹光ファイバ（２４ａ）を、多心の分岐光ファイバ（２２ａ）に対して分岐接続するように構成され、しかも、前記分岐光ファイバが切替可能に接続される多心の光コネクタ（２１ａ）と前記光スプリッタとの間を接続する複数の光伝送路（３０）のそれぞれから、光カプラ（３１）を介して分岐された監視用光伝送路（３１ａ、３１ｂ、２１ｅ、２１ｆ）に、光パルスを利用して光線路を監視する光線路監視装置の心線選択装置（２８）が接続可能になっており、
前記監視用光伝送路のうち、前記基幹光ファイバ方向への光伝送に対応する監視用光伝送路は、光スプリッタの一つの素子に接続された前記光伝送路のうち１本の光伝送路から分岐されていることを特徴とする光部品収納ケース（２１）。
【発明の詳細な説明】
【０００１】
【発明の属する技術分野】
本発明は、光信号を送受信する伝送装置側の光線路に対して、光ケーブル側の複数本の光ファイバを分岐接続する光配線盤および光部品収納ケースに関する。
【０００２】
【従来の技術】
光信号を送受信する伝送装置に対して、光ケーブル側（端末側）の多数回線を接続する技術として、近年実用化されているいわゆるＰＤＳ（Ｐａｓｓｉｖｅ  Ｄｏｕｂｌｅ  Ｓｔａｒ）方式の光配線システムでは、伝送装置とともに局内に設置した光配線盤により、伝送装置側、光ケーブル側の光ファイバを切替可能にコネクタ接続することが一般的である。また、この光配線システムでは、伝送装置側および光ケーブル側の両光線路間に割り込ませた光スプリッタにより、伝送装置側の光線路に対して、光ケーブル側の複数本の光ファイバを分岐接続して、伝送装置の対応回線数を増大することが提案されている。
【０００３】
図６、図７は、従来構成の光配線システムの一例を示す図であって、図６は、伝送装置近傍に設置される光配線盤構造を示す全体図、図７は光配線図である。
図６および図７に示した従来構成の光配線システムでは、伝送装置１とともに局内に設置した２台の光配線盤２、３を利用して、前記伝送装置１側の光ケーブル４を、光ケーブル５の多数の光ファイバに対して分岐接続している。光ケーブル５としては、局外から引き込んだ外線光ケーブルそのもの、あるいは、局内に引き込んだ外線光ケーブルに、融着架等を介して接続された光ケーブルである。
【０００４】
図６に示すように、光配線盤２内には、光ケーブル５や、光配線盤２との間に引き回された局内光ケーブル６が引き込まれるケーブル収納部７と、光部品収納ケース８が多数配列収納される棚状のケース収納部９とが設けられている。一方、光配線盤３内には、伝送装置１側の光ケーブル４や、局内光ケーブル６等の光ケーブルが引き込まれるケーブル収納部１０と、光部品収納ケース１１が多数配列収納される棚状のケース収納部１２とが設けられている。
【０００５】
図６および図７に示すように、光ケーブル５は、端末に露出された多数本の光ファイバテープ心線５ａ先端がそれぞれ光コネクタ５ｂによってコネクタ接続可能に成端されてなるいわゆる成端光ケーブルであり、前記光ファイバテープ心線５ａは、ケース収納部９に引き込んで、前記光コネクタ５ｂを光部品収納ケース８側の光コネクタ８ａに接続することで、目的の光部品収納ケース８に接続される。光部品収納ケース８には、反対側から、成端光ケーブルである局内光ケーブル６端末から単心分岐された単心光コード６ｂが光コネクタ８ｂを介して切替可能に接続され、これにより、光ファイバテープ心線５ａに係る光ケーブル５側の光線路が、光部品収納ケース８を介して、局内光ケーブル６側の目的の光線路と１対１に接続される。
【０００６】
光配線盤３内では、ケーブル収納部１２に引き込まれた局内光ケーブル６端末の８心光ファイバテープ心線６ａが、ケース収納部１２に引き込まれ、目的の光部品収納ケース１１に対して融着部１３を介して光接続されている。光部品収納ケース１１の前記融着部１３とは対向する反対側には、伝送装置側光ケーブル４端末から単心分岐された単心光コード４ａが光コネクタ１４を介して接続されており、また、光部品収納ケース１１内には３入力１６分岐光スプリッタ１５が２個収納され、一つの光スプリッタ１５によって、局内光ケーブル６側の２本、合計１６心の８心光ファイバテープ心線６ａが、伝送装置１側の光線路と接続される。
【０００７】
光部品収納ケース１１内の各光スプリッタ１５には、伝送装置１内蔵の３つの光電変換装置１ａ、１ｂ、１ｃがそれぞれ単心光コード４ａを介して接続され、これら光電変換装置１ａ、１ｂ、１ｃからの出力光信号は、いずれも、光スプリッタ１５内で同じ分岐経路を以て、局内光ケーブル６側の２本、合計１６心の８心光ファイバテープ心線６ａへ分岐される。逆に、光ケーブル５から局内光ケーブル６を経由して伝送装置１へ伝送される光信号は、光スプリッタ１５から単心光コード４ａを通って３つの光電変換装置１ａ、１ｂ、１ｃへ伝送される。ここで、光電変換装置１ｃのみが、映像の送受信に対応するものであり、他の光電変換装置１ａ、１ｂは、一般通信信号の送受信に対応するものであり、光ケーブル５から光電変換装置１ａ、１ｂへは、光フィルタ１６を介することで、特定波長の通信光のみが伝送される。
【０００８】
また、光配線盤２に収納した光部品収納ケース８内では、光コネクタ８ａ、８ｂ間を接続する光ファイバ８ｃから、光カプラ１７を介して光ファイバ１８ａ、１８ｂが引き出されている。この光ファイバ１８ａ、１８ｂには、光パルスを利用して光線路の断線等の異常を監視する光線路監視装置を構成する心線選択装置１９側の光ファイバ（図示せず）がコネクタ接続され、光線路監視装置から出力された光パルスが送り込まれる。光ファイバ１８ａに送り込まれた光パルスは、前記光カプラ１７を介して光ファイバ８ｃに伝送され、そこから、光ケーブル５側の光ファイバテープ心線５ａの各光伝送路へ伝送される。光ファイバ１８ｂに送り込まれた光パルスは、光カプラ１７、光ファイバ８ｃを経由して、各単心光コード６ｂへ伝送される。光パルスの伝送によって、光ケーブル５側の光線路、伝送装置１側の光線路で生じた反射光は、伝送とは逆順、すなわち、光ファイバ８ｃ、光カプラ１７、光ファイバ１８ａ、１８ｂの順で、光線路監視装置へ戻り、光線路監視装置の光パルス試験器にて受光、観察される。これにより、光線路の断線等の監視がなされる。
光線路監視装置の心線選択装置１９は、光配線盤２の棚状のケース収納部９の各段にそれぞれ収納され、各段に複数収納された光部品収納ケース８に接続された光ケーブル５側、伝送装置１側の全ての光線路について、単心単位で監視できるようになっている。
【０００９】
この光配線盤２、３を用いて構成した光配線システムでは、例えば、８０００心の光ケーブル５に対応するには、光配線盤２のケース収納部９に、８心対応である光部品収納ケース８を１０００個収納し、光スプリッタ１５を２個収納して３２心対応になっている光部品収納ケース１１を光配線盤３のケース収納部１２に２５０個収納する。そして、光配線盤２内にて、局内光ケーブル６端末の単心光コード６ｂを、光部品収納ケース８に対して切替接続することにより、光ケーブル５側の各光線路の伝送装置１に対する接続が単心単位で切り替えられる。
【００１０】
【発明が解決しようとする課題】
しかしながら、前記のような光配線盤２、３は、光部品収納ケース８，１１の収納数が多くなるため、大型化が避けられず、小型化による設置スペースの省スペース化や低コスト化が困難になっていた。また、２つの光配線盤２、３を必要とする上、これらの間に引き回される局内光ケーブル６をも必要であるため、局の大型化が避けられず、低コスト化も困難であった。このため、これ以上の対応心数の増大も困難であった。
また、前記の光配線システムでは、光線路監視装置により光ケーブル５側並びに伝送装置１側の全ての光線路を監視するには、片側８０００心、両側で１６０００心分の監視を行うことになる。すなわち、光ケーブル５側の光線路の監視は、８０００心必要であり、光部品収納ケース８から伝送装置１側の光線路の監視では、光部品収納ケース８の光コネクタ８ｂに対する単心光コード６ｂの接続状態や局内光ケーブル６の断線等を監視する必要があり、監視心数を省略することができない。このため、光配線盤２内では、心線選択装置１９の設置数が増大し、光配線盤２の大型化、コスト上昇の原因になっていた。
【００１１】
本発明は、前述の課題に鑑みてなされたもので、光配線盤の小型化、設置数の減少による省スペース化、低コスト化が可能になり、光線路を監視する光線路監視装置についても、対応心数の減少により、構成の間略化、低コスト化できる光配線盤および光部品収納ケースを提供することを目的とするものである。
【００１２】
【課題を解決するための手段】
本発明は、前記課題を解決するため、以下の構成を採用した。すなわち、請求項１記載の発明では、多心の光ケーブル端末が引き込まれるケーブル収納部と、内部に光スプリッタおよび光カプラを収納してなる光部品収納ケースが複数収納されるケース収納部とを備え、前記光部品収納ケースは、光信号を送受信する伝送装置側の光ファイバを、前記光スプリッタを介して、前記光ケーブル側の多心の光ファイバに対して分岐接続するように構成され、前記光ケーブル側の光ファイバが切替可能に接続される多心の光コネクタを備え、この光コネクタと前記光スプリッタとの間を接続する複数の光伝送路のそれぞれから前記光カプラを介して分岐された監視用光伝送路に、光パルスを利用して光線路を監視する光線路監視装置の心線選択装置が接続可能になっており、前記監視用光伝送路のうち、前記伝送装置方向への光伝送に対応する監視用光伝送路は、光スプリッタの一つの素子に接続された前記光伝送路のうち１本の光伝送路から分岐されていることを特徴とする光配線盤を前記課題の解決手段とした。
請求項２記載の発明は、請求項１記載の光配線盤において、前記光ケーブル側の多心の光ファイバに切替可能にコネクタ接続される多心接続部と、前記光部品収納ケースの光コネクタに対して切替可能にコネクタ接続される複数本の単心光ファイバ部と、前記多心接続部を前記単心光ファイバ部へ分岐する分岐部とを備えてなる接続用コード部品によって、前記光ケーブル側の多心の光ファイバと前記光部品収納ケースの光コネクタとの間が接続され、多心が一括して切替接続可能になっていることを特徴とする。
請求項３記載の発明は、請求項１または２に記載の光配線盤において、前記光コネクタと前記光スプリッタとの間を接続する複数の光伝送路が、多心の光ファイバから構成されていることを特徴とする。
請求項４記載の発明は、請求項１ないし３のいずれかに記載の光配線盤において、前記監視用光伝送路の前記光カプラを介して分岐された光ファイバ先端が光コネクタによってコネクタ接続可能に成端されており、かつ光部品収納ケースの側部から外側へ引き出されていることを特徴とする。
請求項５記載の発明は、請求項４に記載の光配線盤において、前記監視用光伝送路のうち、前記伝送装置方向への光伝送に対応する監視用光伝送路は、前記光ケーブル方向への光伝送に対応する監視用光伝送路とともに、１本の光ファイバテープ心線として引き出されていることを特徴とする。
請求項６記載の発明では、内部に収納した光スプリッタを介して、基幹光ファイバを、多心の分岐光ファイバに対して分岐接続するように構成され、しかも、前記分岐光ファイバが切替可能に接続される多心の光コネクタと前記光スプリッタとの間を接続する複数の光伝送路のそれぞれから前記光カプラを介して分岐された監視用光伝送路に、光パルスを利用して光線路を監視する光線路監視装置の心線選択装置が接続可能になっており、前記監視用光伝送路のうち、前記基幹光ファイバ方向への光伝送に対応する監視用光伝送路は、光スプリッタの一つの素子に接続された前記光伝送路のうち１本の光伝送路から分岐されていることを特徴とする光部品収納ケースを前記課題の解決手段とした。
各発明において、多心の光ファイバ、多心の分岐光ファイバとは、光ファイバそのものが多心光ケーブルや多心光ファイバテープ心線等の多心光ファイバである構成以外、例えば、多心の複数本の光ファイバからなる構成も含まれる。また、多心の光コネクタについても同様に、多心に対応できる光コネクタそのものである構成や、例えば複数の単心光コネクタ等からなる構成が含まれる。
【００１３】
【発明の実施の形態】
以下本発明の一実施形態を、図１から図５を参照して説明する。
図１は、本実施形態の光配線盤２０を示す正面図、図２は背面図、図３は光部品収納ケース２１を示す図であって、（ａ）は正面図、（ｂ）は側面図、図４は光配線盤２０近傍の光配線図である。
図１、図２に示すように、光配線盤２０の内部には、光ケーブル２２や、伝送装置２３側の光ケーブル２４が引き込まれるケーブル収納部２５と、光部品収納ケース２１が多段に多数配列収納（例えば、２５枚一列を５段、合計１２５枚収納）される棚状のケース収納部２６とを備え、伝送装置２３とともに局内に設置される。
【００１４】
図１および図４に示すように、光ケーブル２２は、いわゆる成端光ケーブルであり、局外から引き込まれた外線光ケーブルそのもの、あるいは図示しない融着架にて外線光ケーブルと接続されたものである。ケーブル収納部２５に引き込まれた光ケーブル２２端末からは、先端に取り付けられた光コネクタ２２ｂによって成端されてなる８心光ファイバテープ心線である光ファイバ２２ａが多数本引き出されている。これら光ファイバ２２ａは、ケーブル収納部２５内にて、接続用コード部品２７の８心対応の多心接続部２７ａ先端を成端する光コネクタ２７ｂと切替可能にコネクタ接続される。本実施形態では、光コネクタ２２ｂ、２７ｂとして、例えば、ＪＩＳ  Ｃ  ５９８１に制定されるＭＴ形光コネクタ（Ｍｅｃａｎｉｃａｌｌｙ  Ｔｒａｎｓｆｅｒａｂｌｅ）を採用しているが、これに限定されず、各種光コネクタの採用が可能である。
【００１５】
前記接続用コード部品２７は、いわゆる変換心線であって、４０本の前記多心接続部２７ａと、この多心接続部２７ａから分岐部２７ｃを介して単心分岐された複数本（３２０本）の単心光ファイバ部２７ｄ（単心光コード等）とを備えている。各単心光ファイバ部２７ｄの光コネクタ２７ｅによって成端された先端は、ケーブル収納部２５からケース収納部２６に引き込まれ、目的の光部品収納ケース２１の１６心対応の多心光コネクタ２１ａの端子に対して切替可能に接続される。光コネクタ２１ａとしては、例えば、いわゆるＭＵ形光コネクタ（Ｍｉｎｉａｔｕｒｅ−Ｕｎｉｔ  Ｃｏｕｐｌｉｎｇ  ｏｐｔｉｃａｌ  ｆｉｂｅｒ  ｃｏｎｎｅｃｔｏｒ）であり、単心光ファイバ部２７ｄ先端の光コネクタ２７ｅとしては、例えば、ＳＣ形光コネクタ（Ｓｉｎｇｌｅ  ｆｉｂｅｒＣｏｕｐｌｉｎｇ  ｏｐｔｉｃａｌ  ｆｉｂｅｒ  ｃｏｎｎｅｃｔｏｒ）等が採用される。
【００１６】
ケーブル収納部２５内では、複数設けられたケーブル支持部２５ａによって、光ケーブル２２の光ファイバ２２ａ、接続用コード部品２７が、常に光特性に影響を与えない規定以上の湾曲半径を以て湾曲収納されるから、光ケーブル２２の光ファイバ２２ａと、接続用コード部品２７の多心接続部２７ａとの間の切替接続作業を効率良く行うことができる。すなわち、専用の切替装置により行われる切替接続作業では、光ケーブル２２の光ファイバ２２ａ、接続用コード部品２７の多心接続部２７ａをケーブル収納部２５から引き出す必要があるが、接続された光コネクタ２２ｂ、２７ｂはケーブル収納部２５の中央部に収納されるため、引き出し、再収納の際の余長処理等が容易であり、しかも、周囲に作業スペースを容易に確保できるため、作業を効率良く行うことができる。
【００１７】
また、これらケーブル支持部２５ａによって、接続用コード部品２７の分岐部２７ｃが、ケース収納部２６の中央部側部に支持されるため、光部品収納ケース２１の光コネクタ２１ａに接続した光コネクタ２７ｅから分岐部２７ｃに亘って布線される各単心光ファイバ部２７ｄの長さをほぼ均等にすることができる。
光ケーブル２２の光ファイバ２２ａを、接続用コード部品２７を介して、光部品収納ケース２１の光コネクタ２１ａと接続することで、光ケーブル２２端末に確保する光ファイバ２２ａの長さは従来の約半分で済む。光ケーブル２２の光ファイバ２２ａを直接、光部品収納ケース２１側の光コネクタ２１ａに接続した場合では、切替接続時には光ファイバ２２ａの全長を移動させることになるが、本実施形態の光配線盤２０では、光コネクタ２１ａに対する切替接続時には、接続用コード部品２７の単心光ファイバ部２７ｄのみを操作すれば良いので、移動すべき部分が少なくて済み、切替接続の作業性が向上する。
【００１８】
図３に示すように、光部品収納ケース２１は、外観薄板状であり、光配線盤２０の正面側（図３（ａ）左側、図１紙面手前側）に向けられる一側部（成端側）には、前記多心光コネクタ２１ａを４個（６４心分）備えている。また、光配線盤２０の背面側（図３（ａ）右側、図２紙面手前側）に向けられる光部品収納ケース２１の他側部には、光コネクタ２１ｂ、２１ｃ、２１ｄを備えている。
図４に示すように、光部品収納ケース２１内には、６入力３２出力の光スプリッタ２９を２個と、各光スプリッタ２９から光コネクタ２１ａの間を光接続する光伝送路として、合計８本の８心の多心光ファイバ３０（光ファイバテープ心線等）と、２個の１６ｃｈ光カプラ３１とを収納している。
【００１９】
各光スプリッタ２９は、３入力１６出力の二つの素子２９ａからなり、各素子２９ａの出力側（図４中左側）には、融着部３２を介して２本の８心の多心光ファイバ３０が接続され、一つの光スプリッタ２９当たりでは４本の多心光ファイバ３０が接続されている。各光スプリッタ２９の各素子２９ａの入力側（図４中右側）から３本ずつ引き出された光ファイバ２９ｂは、３つの光コネクタ２１ｂに振り分け接続されており、一つの光コネクタ２１ｂに接続された４本の光ファイバ２９ｂには、伝送装置２３側の光ケーブル２４端末の４心の光ファイバ２４ａが切替可能にコネクタ接続される。
【００２０】
図３および図４に示すように、光コネクタ２１ｂは、光部品収納ケース２１に３個設けられ、これら各光コネクタ２１ｂには、光配線盤２０の背面側のケーブル収納部２５（図２参照）に引き込まれた伝送装置側光ケーブル２４端末から引き出された４心光ファイバ２４ａ（例えば、４心光ファイバテープ心線、４心光コード等）が切替可能にコネクタ接続される。
【００２１】
図４に示すように、光ケーブル２４の伝送装置２３側端末にて、光ファイバ２４ａから分岐された２本の２心光ファイバ２４ｂは、それぞれ、伝送装置２３内に搭載された光電変換装置２３ａ、２３ｂに接続されている。同一の光ファイバ２４ａから分岐された光ファイバ２４ｂに接続された１対の光電変換装置２３ａ、２３ｂは、協働して、光信号に０系、１系の伝送符号を付けることで、通信信号を形成する。また、伝送装置２３に搭載された光電変換装置２３ｃ、２３ｄは、映像系伝送信号の送受信を行うものであり、この光電変換装置２３ｃ、２３ｄからの出力信号は、２本の光ファイバ２４ｂ、光ファイバ２４ａ、光ファイバ２９ｂを介して各光スプリッタ２９の各素子２９ａに伝送され、各素子２９ａによって１６分岐され、光ケーブル２２側へ伝送される。逆に、光ケーブル５側から伝送された映像系伝送信号は、各光スプリッタ２９の各素子２９ａから映像系伝送信号に対応する光電変換装置２３ｃ、２３ｄへ伝送されるが、一般通信信号の送受信に対応する光電変換装置２３ａ、２３ｂへは、光スプリッタ２９内に設けられた光フィルタ２９ｃによって伝送が阻止される。このため、一般通信信号に対応する光電変換装置２３ａ、２３ｂでは、光ケーブル２２側からの映像系伝送信号は伝送されず、一般通信信号のみを高精度送受信することができる。
この光部品収納ケース２１は、伝送装置２３の光電変換装置２３ａ、２３ｂ、２３ｃ、２３ｄの各対に係る４心の光ファイバ２４ａに対して、光ケーブル２２側の６４心分の光線路をそれぞれ分岐接続することができる。
【００２２】
前記光コネクタ２１ｂとしては、例えば、ＪＩＳ  Ｃ  ５９８２に制定されるいわゆるＭＰＯ形光コネクタ（Ｍｕｌｔｉｆｉｂｅｒ  Ｐｕｓｈ  Ｏｎ）等が採用され、伝送装置２３側の光ファイバ２４ａは、先端を成端するプラグによって、光コネクタ２１ｂに簡便に着脱される。
なお、ＭＰＯ形光コネクタによって成端された光ファイバ２４ａは、図１、図２に示すように、光配線盤２０内に設けられた端子板２０ａ、２０ｂに取り付けられた光コネクタ（図示せず）に接続することで、別途、光配線盤２０内に引き込まれた外線光ケーブルや、別の光配線盤等と光接続することも可能である。
【００２３】
前記光カプラ３１は、光スプリッタ２９の同一の素子２９ａと光コネクタ２１ａとの間を接続する２本の多心光ファイバ３０の途中に介在配置され、これら２本、合計１６心の多心光ファイバ３０から、合計１７心の光ファイバ３１ａ、３１ｂを分岐させている。この光カプラ３１は、光部品収納ケース２１内の８本の多心光ファイバ３０に対して、合計４個が設けられる。
一つの光カプラ３１により、２本の多心光ファイバ３０から分岐された１７本の光ファイバ３１ａ、３１ｂの内、１６本の光ファイバ３１ａは、多心光ファイバ３０から光ケーブル２２方向への光伝送に対応するものであり、１本の光ファイバ３１ｂは、多心光ファイバ３０から伝送装置２３方向への光伝送に対応するものである。４個の光カプラ３１により、８本の多心光ファイバ３０から分岐された６４本の光ファイバ３１ａの内、５６本は、７本の８心光ファイバ２１ｅ（光ファイバテープ心線）として引き出され、残る８本の光ファイバ３１ａと、４本の光ファイバ３１ｂは、１本の１２心光ファイバ２１ｆ（光ファイバテープ心線）として引き出されている。
【００２４】
図３（ａ）に示すように、光ファイバ２１ｅ、２１ｆ先端は光コネクタ２１ｃ、２１ｄによってコネクタ接続可能に成端されており、光部品収納ケース２１の側部から外側へ引き出されている。光コネクタ２１ｃは８心ＭＴ形光コネクタ、光コネクタ２１ｄは１２心ＭＴ形光コネクタである。
光ファイバ２１ｅ、２１ｆには、ケース収納部２６の最下段に収納された心線選択装置２８（図１、図２中「ｆｓ」）から引き出された光ファイバ２８ａ、２８ｂ（図４参照）が切替可能にコネクタ接続される。心線選択装置２８側の光ファイバ２８ａは８心、光ファイバ２８ｂは１２心であり、ＭＴ形光コネクタ２８ｃ、２８ｄによってコネクタ接続可能に成端されている。
光コネクタ２１ｃ、２１ｄは、普段は、ケース収納部２６の各段に設けられたコネクタ収納部２６ａに保護収納しておき、切替接続等の作業時のみ取り出して作業を行う。光コネクタ２８ｃ、２８ｄと接続されている時は、光コネクタ２８ｃ、２８ｄおよび光ファイバ２１ｅ、２１ｆ、２１ａ、２８ｂの接続余長とともに、コネクタ収納部２６ａに収納される。
【００２５】
図５は、１２心対応の光コネクタ２１ｄを示す斜視図である。
図５に示すように、光コネクタ２１ｄの長方形状の接合端面２１ｇの長手方向両端部には、ＪＩＳ  Ｃ  ５９８１に制定される位置決め用のガイドピンが挿入されるガイドピン穴２１ｈが穿設され、接合端面２１ｇの中央部には、合計１２本の光ファイバ３１ａ、３１ｂ（裸ファイバ）が露出されている。この光コネクタ２１ｄの接合端面２１ｇ中央部に露出された１２本の内、中央の８本が光ファイバ３１ａであり、両端部２本ずつ、合計４本が光ファイバ３１ｂである。
心線選択装置２８側の１２心対応の光コネクタ２８ｄは、この光コネクタ２１ｄと同様の構成になっている。光コネクタ２１ｄの接合端面２１ｇの両端のガイドピン穴２１ｈの間隔、および、接合端面２１ｇでの光ファイバ３１ａ、３１ｂの露出位置は、心線選択装置２８側の１２心対応の光コネクタ２８ｄと一致していることは勿論であるが、ガイドピン穴２１ｈの形成位置および中央部の８本の光ファイバ３１ａの露出位置は、８心の光コネクタ２１ｃと一致しており、心選択装置２８側の８心対応の光コネクタ２８ｃとも一致するため、光コネクタ２１ｄは光コネクタ２８ｃとも接続可能であり、この時には、８心光コネクタとして機能する。また、光コネクタ２１ｃ、２８ｄ間も、接続可能である。
【００２６】
図４において、心線選択装置２８は、光パルスを利用した光線路監視装置を構成するものであり、合計６８心の光ファイバ２８ａ、２８ｂから選択した特定の光ファイバ（１本または複数本の裸ファイバ）に、図示しない光パルス試験器から出力した光パルスを入射する。光ファイバ２８ａ、２８ｂ側の目的の光ファイバへ送り込まれた光パルスは、光ファイバ２８ａ、２８ｂに対して接続された光ファイバ２１ｅ、２１ｆを通って光カプラ３１から多心光ファイバ３０へ入射される。
光ファイバ３１ａを通って多心光ファイバ３０へ入射した光パルスは、光ケーブル２２側の光線路へ伝送され、光ファイバ３１ｂを通って多心光ファイバ３０へ入射した光パルスは、伝送装置２３側の光線路へ伝送される。光ケーブル２２側光線路、伝送装置２３側光線路にて伝送途中で生じた反射光は、光パルスの入射時とは逆順で多心光ファイバ３０から光カプラ３１を介して、光ファイバ２１ｅ、２１ｆ、光ファイバ２８ａ、２８ｂ、心線選択装置２８の順で光線路監視装置へ戻り、最終的に、光パルス試験器にて受光観察され、これにより、光線路の断線等の異常の有無が監視される。
なお、光ファイバ３１ａ、３１ｂ、２１ｅ、２１ｆは、各請求項１，６記載の監視用光伝送路を形成する。また、光コネクタ２１ａと光スプリッタ２９との間の光伝送路や監視用光伝送路としては、光ファイバ以外に、基板形光導波路等、各種構成が採用可能である。
【００２７】
光カプラ３１は、関係する多心光ファイバ３０の全ての光ファイバ（光ファイバ素線）について、光ケーブル２２方向への光伝送可能な光ファイバ３１ａを分岐しているが、伝送装置２３方向へ光伝送可能に分岐した光ファイバ３１ｂは、同一の光スプリッタ２９の同一の素子２９ａに接続された２本、１６心の多心光ファイバ３０内の１心の光ファイバのみになっている。すなわち、同一の光スプリッタ素子２９ａに接続される２本の多心光ファイバ３０の合計１６心の光ファイバは、同一の光スプリッタ素子２９ａ、同一の光コネクタ２１ｂを経由して、伝送装置２３側の光線路と接続されるため、２本の多心光ファイバ３０内の任意の１本の光ファイバについてのみ、光パルスを入射して光部品収納ケース２１から伝送装置２３方向への光線路の監視を行えば、この２本の多心光ファイバ３０に係る全ての伝送装置２３側光線路の線路監視を行ったことと同じになる。このため、２本の多心光ファイバ３０からは、光カプラ３１を介して、光ケーブル２２側線路監視用の光ファイバ３１ａを１６本と、伝送装置２３側線路監視用の光ファイバ３１ｂを１本引き出せば良く、光部品収納ケース２１全体としては、光ケーブル２２側監視用として６４心分、伝送装置２３側監視用として４心分、合計６８心分の光ファイバを引き出せば良い。
【００２８】
光コネクタ２１ｄを、心線選択装置２８側の１２心の光コネクタ２８ｄと接続すると、光コネクタ２１ｄの接合端面２１ｇの全ての光ファイバ３１ａ、３１ｂが、心線選択装置２８側の光ファイバ２８ｂの１２心の全てと光接続され、光線路監視装置から出力した光パルスによって、光ケーブル２２側の光線路、および伝送装置２３側の光線路を監視できる。光コネクタ２１ｄを心線選択装置２８側の８心対応の光コネクタ２８ｃと接続すると、光コネクタ２１ｄの接合端面２１ｇ中央部の８心の光ファイバ３１ａのみが、心線選択装置２８側の光ファイバ２８ａの８心と光接続され、前記光ファイバ３１ａの両側の光ファイバ３１ｂには光ファイバ２８ａは接続されず、光ケーブル２２側の光線路のみ監視できる。
【００２９】
光配線盤２０のケース収納部２６には、伝送装置２３側と接続されない光部品収納ケース２１を収納する可能性があり、このような場合には、光ケーブル２２側の光線路のみを監視することができる。この時、前記光コネクタ２１ｄは、変更することなく、そのまま適用することができる。
また、光ケーブル２２側の光線路のみを監視する場合には、光ケーブル２２端末の光ファイバ２２ａを、光配線盤２０のケース収納部２６にまで引き込み、光部品収納ケース２１を介さずに、心線選択装置２８側の光ファイバ２８ａ、２８ｂと、直接接続することも可能である（いわゆる直収）。光ファイバ２２ａの先端の光コネクタ２２ｂ（８心ＭＴ形光コネクタ）は、光部品収納ケース２１側の光ファイバ２１ｅ、２１ｆ先端の光コネクタ２１ｃ、２１ｄと同様の構成とすることで、前述の心線選択装置２８側の光ファイバ２８ａ、２８ｂ先端の光コネクタ２８ｃ、２８ｄ（いずれもＭＴ形光コネクタ）に対して自在に切替接続することができる。接続された光コネクタ２２ｂ、２８ｃ、２８ｄは、コネクタ収納部２６ａに取り出し可能に保護収納される。
【００３０】
この光配線盤２０および光部品収納ケース２１によって構成された光配線システムにて、光ケーブル２２側の８０００心の光ケーブル２２に対応するには、光配線盤２０のケース収納部２６に、６４心対応の光部品収納ケース２１を合計１２５枚収納し、これら光部品収納ケース２１や接続用コード部品２７を介して、光ケーブル２２側の光ファイバ２２ａと伝送装置２３側の光ファイバ２４ａとの間を光接続すれば良い。これにより、光部品収納ケース２１内蔵の光スプリッタ２９の作用により、伝送装置２３側の４心の光ファイバ２４ａを、光ケーブル２２側の８０００心の光線路と分岐接続することができる。したがって、この光配線盤２０では、設置数が一台で済み、従来構成のように、二つの光配線盤２、３を使用することに比べて、設置スペースの大幅な省スペース化、大幅な低コスト化が可能になる。また、光部品収納ケース２１の収納枚数が、従来構成の光配線盤に比べて大幅に減少（１０分の１程度）するため、小型化、組み立ての作業性の向上、部品点数の減少による低コスト化が実現される。
組み立て作業性については、光部品収納ケース２１の組み立て時に、融着部３２による接続作業を行うことができることも利点の一つであり、光配線盤に収納後の光部品収納ケースに目的の光ファイバを融着接続することと比べて、作業性を大幅に向上できる。
【００３１】
伝送装置２３側の光ファイバ２４ａに対して、光ケーブル２２側の光ファイバ２２ａの特定の１心の光線路を切替接続するには、接続用コード部品２７の単心光ファイバ部２７ｄを、光部品収納ケース２１の光コネクタ２１ａに対して切替接続すれば良い。若しくは、接続用コード部品２７の多心接続部２７ａの光コネクタ２７ｂと、光ケーブル２２側光ファイバ２２ａ先端の光コネクタ２２ｂとの間を切替接続して、８心分の光線路を一括して切替接続することも可能である。このように、伝送装置２３側の光ファイバ２４ａに対する光ケーブル２２側の光線路の切替接続は、接続用コード部品２７の単心光ファイバ部２７ｄや多心接続部２７ａの操作により簡便に行うことができる。
【００３２】
また、光ケーブル２２側および伝送装置２３側の全ての光線路を監視するには、１２５枚の各光部品収納ケース２１から引き出された光ファイバ２１ｅ、２１ｆの全てに、心線選択装置２８側の光ファイバ２８ａ、２８ｂを接続する。光部品収納ケース２１の１枚当たり、光ケーブル２２側６４心、伝送装置２３側４心、合計６８心分の光ファイバ２１ｅ、２１ｆが引き出されるため、１２５枚の全ての光部品収納ケース２１から引き出される光ファイバ２１ｅ、２１ｆの心数は、総計８５００心分である。したがって、光線路監視装置の心線選択装置２８の能力は、８５００心対応であれば良く、従来構成の光配線盤では１６０００心に対応する心線選択装置をケース収納部内に複数設置することに比べて、対応心数の大幅な軽減が可能になる。このため、本実施形態の光配線盤２０では、心線選択装置２８は、ケース収納部２６の最下段に２台のみ設置すれば良く、光配線盤２０の小型化、低コスト化が可能になる。
【００３３】
なお、前記実施形態に限定されるものでは無く、例えば、光ケーブル、光部品収納ケース、光部品収納ケース内に収納する光スプリッタ、光カプラ等の光部品などの対応心数や設置数、光ファイバ同士の接続に使用する光コネクタの種類、等は、適宜変更可能であることは言うまでも無い。
また、光部品収納ケースの適用対象は、前記光配線盤２０に限定されず、各種光配線システムにて、光線路の分岐を必要とする箇所に適用可能である。
本実施形態記載の、伝送装置側光ファイバ２４ａは、請求項６記載の基幹光ファイバに相当し、光ケーブル２２側の光ファイバ２２ａ、若しくは、接続用コード部品２７は、請求項６記載の分岐光ファイバに相当する。
【００３４】
【発明の効果】
以上説明したように、請求項１記載の光配線盤によれば、
（ａ）ケース収納部内に複数収納した光部品収納ケースに、伝送装置側の目的の光ファイバを、光ケーブル側の多心の光ファイバに対して分岐接続するための光スプリッタと、前記光ケーブル側の光ファイバが切替可能に接続される多心の光コネクタと前記光スプリッタとの間を接続する光伝送路に、光線路監視装置から出力された光パルスを送り込むための光カプラとを備えており、一台で、伝送装置側、光ケーブル側の光線路の分岐接続用の光配線盤の機能と、光線路監視装置との接続用の光配線盤の機能とを兼ね備えるから、光配線盤の設置数を減少でき、設置スペースの省スペース化、構成部品点数の減少による低コスト化等が可能になる、
（ｂ）前記（ａ）により、光配線盤間を接続する光ケーブルが不要になり、一層の省スペース化、低コスト化が可能になる、
（ｃ）前記（ａ）および（ｂ）により、光配線盤の光ケーブルが不要になったり、光部品収納ケース等の設置数が減少するため、組み立てが容易になるとともに、低コスト化が可能である、
（ｄ）伝送装置側、光ケーブル側の両側の光線路を監視するべく、光パルスを送り込む光線路監視装置の対応心数が少なくて済み、選択した目的の光線路に光パルスを送り込むための光線路監視装置の小型化や設置台数の削減が可能になり、これにより、光配線盤全体を小型化、低コスト化することができる
といった優れた効果を奏する。
【００３５】
請求項２記載の光配線盤によれば、前記光ケーブル側の多心の光ファイバに切替可能にコネクタ接続される多心接続部と、前記光部品収納ケースの光コネクタに対して切替可能にコネクタ接続される複数本の単心光ファイバ部と、前記多心接続部を前記単心光ファイバ部へ分岐する分岐部とを備えてなる接続用コード部品によって、前記光ケーブル側の多心の光ファイバと前記光部品収納ケースの光コネクタとの間が接続され、多心が一括して切替接続可能になっているので、
（ｅ）前記光部品収納ケースの光コネクタに対して単心光ファイバ部を切替接続するだけで、光ケーブル側光ファイバを単心単位で、伝送装置側の目的の光線路に対して簡便に切替接続できる、
（ｆ）光ケーブル側の多心の光ファイバに対して、多心接続部を切替接続することで、光ケーブル側の光線路を複数心単位で一括して、伝送装置側光線路に対して切替接続することができる
といった優れた効果を奏する。
【００３６】
請求項６記載の光部品収納ケースによれば、内部に収納した光スプリッタを介して、基幹光ファイバを、多心の分岐光ファイバに対して分岐接続するように構成され、しかも、前記分岐光ファイバが切替可能に接続される多心の光コネクタと前記光スプリッタとの間を接続する複数の光伝送路のそれぞれから前記光カプラを介して分岐された監視用光伝送路に、光パルスを利用して光線路を監視する光線路監視装置の心線選択装置が接続可能になっているので、基幹光ファイバと、多心の分岐光ファイバとの間に介在配置するだけで、両光ファイバ間を切替可能に簡便に分岐接続することができ、しかも、光線路試験装置の光パルスによる、両光ファイバに係る光線路の監視も効率良く行うことができるといった優れた効果を奏する。
【図面の簡単な説明】
【図１】本発明の１実施形態の光配線盤を示す正面図である。
【図２】図１の光配線盤の背面図である。
【図３】本発明の１実施形態の光部品収納ケースを示す図であって、（ａ）は正面図、（ｂ）は側面図である。
【図４】光配線盤近傍および光部品収納ケース内部の光配線図である。
【図５】監視用光導波路を構成する光ファイバを成端する光コネクタを示す斜視図である。
【図６】従来例の光配線盤構造を示す正面図である。
【図７】図６の光配線盤を用いた光配線システムの構成例を示す光配線図である。
【符号の説明】
２０…光配線盤、２１…光部品収納ケース、２１ａ…光コネクタ（ＭＵ形光コネクタ）、２１ｅ、２１ｆ…監視用光伝送路（光ファイバテープ心線）、２２…光ケーブル、２２ａ…光ファイバ（分岐光ファイバ、光ファイバテープ心線）、２３…伝送装置、２４…光ケーブル（伝送装置側光ケーブル）、２４ａ…光ファイバ（基幹光ファイバ、光ファイバテープ心線）、２５…ケーブル収納部、２６…ケース収納部、２７…接続用コード部品、２７ａ…多心接続部、２７ｃ…分岐部、２７ｄ…単心光ファイバ部、２８…心線選択装置、２９…光スプリッタ、２９ａ…光スプリッタ（素子）、３０…光ファイバ（多心光ファイバテープ心線）、３１…光カプラ、３１ａ、３１ｂ…監視用光伝送路（光ファイバ）。
【図１】
0003545207.tif 000002
【図２】
0003545207.tif 000003
【図３】
0003545207.tif 000004
【図４】
0003545207.tif 000005
【図５】
0003545207.tif 000006
【図６】
0003545207.tif 000007
【図７】
0003545207.tif 000008